(57)【特許請求の範囲】
【請求項１】
基台にハウジングを設置し、前記ハウジング内には圧胴と前記圧胴に対応する版胴とを設け、前記圧胴に巻き掛けられる原紙の表面に前記版胴の表面のインキを塗布して印刷を行う校正機において、前記基台に所定間隔で離間して対峙する一対のフレームを立設し、前記一対のフレームに支持される回転軸を設け、前記回転軸には前記一対のフレームに対応する一対の円板を設け、前記回転軸と平行で且つ前記回転軸の周辺に配置されて前記一対の円板に支持される複数の前記版胴を設け、前記版胴の両端を挟持する一対の挟持軸を設け、前記一対の挟持軸の一方を進退動する挟持軸駆動装置を設け、前記回転軸及び前記一対の挟持軸の他方に連結される回転駆動装置を設け、前記版胴をリフトする版胴リフト装置を設け、複数の前記版胴中のいずれか１つに対応するように前記圧胴を配設し、前記圧胴を回転する圧胴駆動装置を設け、前記圧胴を前記版胴側に寄せて印圧を付与する印圧調整装置を設け、前記ハウジングに形成された排気口を開閉する蓋部を設け、前記蓋部を開閉動作する開閉駆動装置を設け、前記ハウジング内に所定量以上の臭気が発生したことを検出する臭気量検出センサを設け、前記ハウジング内に所定量以上の臭気が発生したことを前記臭気量検出センサが検出したときに、前記開閉駆動装置を駆動して前記蓋部を開動作させて前記排気口を開放させる制御部を設けたことを特徴とする複数の版胴を有する校正機。
【請求項２】
前記版胴の周辺に配置されて前記版胴の表面の余分なインキを掻き取るドクタと、前記ドクタを前記版胴に対して所定の距離となるように動作するアクチュエータとを備えるインキ掻取装置を設けたことを特徴とする請求項１に記載の複数の版胴を有する校正機。
【請求項３】
前記ハウジング内の温度が所定温度以上になったことを検出する温度検出センサを設け、前記ハウジング内に外気を導入する送風機を設け、前記ハウジング内の温度が所定温度以上になったことを前記温度検出センサが検出したときに、前記開閉駆動装置を駆動して前記蓋部を開動作させて前記排気口を開放するとともに、前記送風機を駆動して前記ハウジング内に外気を導入する制御部を設けたことを特徴とする請求項１に記載の複数の版胴を有する校正機。
【請求項４】
作業者が所定の距離内に接近したことを検出するエリアセンサを設け、作業者が所定の距離内に接近したことを前記エリアセンサが検出したときに、全機器の駆動を停止する制御部を設けたことを特徴とする請求項１に記載の複数の版胴を有する校正機。
【発明の詳細な説明】
【技術分野】
【０００１】
この発明は、複数の版胴を有する校正機に係り、特にグラビア印刷を行う複数の版胴を有する校正機に関する。
【背景技術】
【０００２】
従来、校正印刷を行う校正機において、版胴の表面にインキを付着し、版胴の表面の凹部から溢れ出たインキをドクタで掻き落とし、圧胴によって印圧を与えて原紙の表面に版胴の凹部のインキを塗布させ、文字やデザイン等を印刷する、いわゆるグラビア印刷の方式がある。
このようなグラビア印刷の校正機としては、例えば、以下の先行技術文献がある。
【先行技術文献】
【特許文献】
【０００３】
【特許文献１】特許第１７３６３２５号公報  特許文献１に係るグラビア校正機は、グラビア印刷の校正を行うものであり、グラビア印版と巻取紙との相対位置合わせを行って定位置を確認した後、印圧を定めて版面とドクタとを接触させ、版胴と圧胴とを同時に回転して印刷を行い、一回転で圧胴を逃がすとともに、版胴を配設した回転板を次のシリンダが圧胴と対応位置まで回転させ、順次印刷を行って校正刷りを行うものである。
【発明の概要】
【発明が解決しようとする課題】
【０００４】
ところが、従来、グラビア印刷の校正機にあっては、一つの圧胴に対して版胴が一つだけである場合に、連続印刷が困難であり、また、印刷したい色の交換を行う際には、各機器の駆動を停止した後、版胴を取り外し、そして、新たな版胴を取り付けるという交換作業が必要となっていた。
また、色交換のために、複数の版胴を校正機とは別の箇所に保管しなければならず、別途の保管スペースが必要になっていた。
【０００５】
そこで、この発明は、印刷したい色の交換作業を容易とし、また、連続印刷を可能とする複数の版胴を有する校正機を提供することを目的とする。
【課題を解決するための手段】
【０００６】
この発明は、基台にハウジングを設置し、前記ハウジング内には圧胴と前記圧胴に対応する版胴とを設け、前記圧胴に巻き掛けられる原紙の表面に前記版胴の表面のインキを塗布して印刷を行う校正機において、前記基台に所定間隔で離間して対峙する一対のフレームを立設し、前記一対のフレームに支持される回転軸を設け、前記回転軸には前記一対のフレームに対応する一対の円板を設け、前記回転軸と平行で且つ前記回転軸の周辺に配置されて前記一対の円板に支持される複数の前記版胴を設け、前記版胴の両端を挟持する一対の挟持軸を設け、前記一対の挟持軸の一方を進退動する挟持軸駆動装置を設け、前記回転軸及び前記一対の挟持軸の他方に連結される回転駆動装置を設け、前記版胴をリフトする版胴リフト装置を設け、複数の前記版胴中のいずれか１つに対応するように前記圧胴を配設し、前記圧胴を回転する圧胴駆動装置を設け、前記圧胴を前記版胴側に寄せて印圧を付与する印圧調整装置を設け、前記ハウジングに形成された排気口を開閉する蓋部を設け、前記蓋部を開閉動作する開閉駆動装置を設け、前記ハウジング内に所定量以上の臭気が発生したことを検出する臭気量検出センサを設け、前記ハウジング内に所定量以上の臭気が発生したことを前記臭気量検出センサが検出したときに、前記開閉駆動装置を駆動して前記蓋部を開動作させて前記排気口を開放させる制御部を設けたことを特徴とする。
【発明の効果】
【０００７】
この発明は、複数の版胴により、印刷したい色の交換作業を容易とし、また、連続印刷を可能とする。
【図面の簡単な説明】
【０００８】
【図１】図１は校正機の正面図である。（実施例１）
【図２】図２は校正機の右側面図である。（実施例１）
【図３】図３は校正機の平面図である。（実施例１）
【図４】図４は校正機の左側面図である。（実施例１）
【図５】図５（Ａ）は左側フレームの内側からの正面図である。図５（Ｂ）は左側フレームの右側面図である。（実施例１）
【図６】図６（Ａ）は右側フレームの左側面図である。図６（Ｂ）は右側フレームの内側からの正面図である。（実施例１）
【図７】図７は回転軸の正面図である。（実施例１）
【図８】図８（Ａ）は左側円板の内側からの正面図である。図８（Ｂ）は左側円板の右側面図である。（実施例１）
【図９】図９（Ａ）は右側円板の左側面図である。図９（Ｂ）は右側円板の内側からの正面図である。（実施例１）
【図１０】図１０（Ａ）はブラケットの内側からの正面図である。図１０（Ｂ）はブラケットの右側面図である。（実施例１）
【図１１】図１１は校正機の左側の一部断面図である。（実施例１）
【図１２】図１２は校正機の右側の一部断面図である。（実施例１）
【図１３】図１３は版胴の拡大左側面図である。（実施例１）
【図１４】図１４はインキ供給装置及びインキ掻取装置の概略構成図である。（実施例１）
【図１５】図１５は校正機の概略構成図である。（実施例１）
【図１６】図１６は校正機の制御系のブロック図である。（実施例１）
【図１７】図１７はインキ量調整具を備えた校正機の概略構成図である。（実施例２）
【図１８】図１８は自動による換気方式の構成図である。（実施例３）
【図１９】図１９は手動による換気方式の構成図である。（実施例４）
【図２０】図２０は温度検出センサを備えた校正機の制御系のブロック図である。（実施例５）
【図２１】図２１はエリアセンサを備えた校正機の制御系のブロック図である。（実施例６）
【発明を実施するための形態】
【０００９】
この発明は、印刷したい色の交換作業を容易とし、また、連続印刷を可能とする目的を、複数の版胴を設けて実現するものである。
【実施例１】
【００１０】
図１〜図１６は、この発明の実施例１を示すものである。
図１〜図４に示すように、校正機１は、グラビア印刷用のものであり、基台２と、基台２に設置されるハウジング３とを備える。
ハウジング３は、左側ケース部４と、左側ケース部４に左右方向で対峙した右側ケース部５と、左側ケース部４と右側ケース部５とを連結する中央側ケース部６とからなる。中央側ケース部６には、正面側で、作業用開口７が形成される。
【００１１】
基台２には、ハウジング３内で、左側ケース部４に対応する位置で左側フレーム８が立設されるとともに、右側ケース部５に対応する位置で右側フレーム９が立設される。左側フレーム８と右側フレーム９とは、左右方向に所定間隔で離間し且つ対峙して配置される。
左側フレーム８は、図５（Ａ）、図５（Ｂ）に示すように、縦長の長方形状に形成され、略中央部位で左側軸孔１０を有している。
右側フレーム９は、図６（Ａ）、図６（Ｂ）に示すように、左側フレーム８と同様な構成で、縦長の長方形状に形成され、略中央部位で右側軸孔１１を有している。
【００１２】
図１に示すように、左側フレーム８と右側フレーム９とには、回転軸１２が横架して支持される。
回転軸１２は、図７に示すように、中空状の管材からなり、左端に取り付けた左側閉塞部１３に支持された左端軸部１４と、右端に取り付けた右側閉塞部１５に支持された右端軸部１６とを備える。
また、回転軸１２には、左側で外周面から径方向へ突出する左側連結フランジ１７と、右側で外周面から径方向へ突出する右側連結フランジ１８とが備えられる。
左側連結フランジ１７には、円周方向等間隔で複数の左側連結孔１９が形成される。右側連結フランジ１８には、円周方向等間隔で複数の右側連結孔２０が形成される。
回転軸１２は、図１２、図１５に示すように、後述の回転駆動装置９１の駆動によって１ピッチずつ間欠回転され、全８ピッチで間欠回転される。
【００１３】
図１１に示すように、回転軸１２の左側連結フランジ１７には、左側円板２１が連結される。
左側円板２１は、図８（Ａ）、図８（Ｂ）に示すように、回転軸１２を貫通させる左側軸孔２２と、外周部位に沿って円周方向等間隔に配置された複数（例えば８個）の左側保持用孔２３と、左側軸孔２２周辺で複数（例えば１２個）の左側ねじ穴２４とを有する。
図１１に示すように、左側連結フランジ１７と左側円板２１とは、左側連結孔１９に挿通されて左側ねじ穴２４にねじ込まれる左側連結ボルト２５によって連結される。
【００１４】
図１２に示すように、回転軸１２の右側連結フランジ１８には、右側円板２６が連結される。
右側円板２６は、図９（Ａ）、図９（Ｂ）に示すように、左側円板２１と同様に構成され、回転軸１２を貫通させる右側軸孔２７と、外周部位に沿って円周方向等間隔に配置された複数（例えば８個）の右側保持用孔２８と、右側軸孔２７周辺で複数（例えば１２個）の右側ねじ穴２９とを有する。
図１２に示すように、右側連結フランジ１８と右側円板２６とは、右側連結孔２０に挿通されて右側ねじ穴２９にねじ込まれる右側連結ボルト３０によって連結される。
【００１５】
図１１に示すように、回転軸１２の左端軸部１４には、左側軸受３１を備えた左側取付部３２が設けられる。左側取付部３２は、複数の左側固定ボルト３３によって左側フレーム８に支持される。回転軸１２の左端軸部１４は、左側取付部３２に回転自在に支持される。左側取付部３２の左側突出円環部３４は、左側フレーム８の左側軸孔１０に挿着される。
【００１６】
図１２に示すように、回転軸１２の右端軸部１６には、右側軸受３５を備えた右側取付部３６が設けられる。右側取付部３６は、複数の右側固定ボルト３７によって右側フレーム９に保持される。回転軸１２の右端軸部１６は、右側取付部３６に回転自在に支持される。右側取付部３６の右側突出円環部３８は、右側フレーム９の右側軸孔１１に挿着される。
【００１７】
また、図１２に示すように、回転軸１２の右端部位の外周面には、円環体からなるブラケット３９が取付ボルト４０で取り付けられる。
ブラケット３９は、図１０（Ａ）、図１０（Ｂ）に示すように、回転軸１２を貫通する軸用孔４１と、右側円板２６の各右側保持用孔２８に対応した箇所で、外周部位に沿って円周方向等間隔に、複数（８個）の挿通用孔４２とを有する。
また、図１２に示すように、回転軸１２の右端部位の外周面には、ブラケット３９と並んで、連絡用歯車４３が取り付けられる。回転軸１２の右端部位には、連絡用歯車４３を保持するように右側閉塞部１５に固定ボルト４４で固定された端板４５が取り付けられる。
【００１８】
図１１に示すように、左側円板２１の各左側保持用孔（全８つ）２３には、各左側保持部（全８つ）４６を介して各左側挟持軸４７（全８本）が配置される。各左側保持部４６は、各左側固定ボルト４８によって左側円板２１に固定される。
左側挟持軸４７は、中空状であって、先端に前方（右方）へ向かって窄むように形成された左側コーン４９を備える。
左側挟持軸４７の基端内には、環状の一側端部材５０が配設される。また、左側挟持軸４７の基端側には、取付部材５１が配置される。取付部材５１は、左側挟持軸４７の外周面に沿って軸方向に配置された複数の取付ロッド５２によって左側保持部４６に固定される。
取付部材５１の中央部位には、一側端部材５０を貫通して左側挟持軸４７内に挿入する連結ロッド５３の基端部位が取り付けられる。連結ロッド５３の先端部位には、左側挟持軸４７の内周面に接するように配置された環状の他側端部材５４が取り付けられる。
左側挟持軸４７は、後述の挟持軸駆動装置９２の駆動によって左側保持部４６内で摺動して左右方向へ進退動される。また、左側挟持軸４７は、左側保持部４６内で回転可能に保持される。
【００１９】
図１２に示すように、右側円板２６の各右側保持用孔（全８つ）２８には、各右側保持部（全８つ）５５を介して各右側挟持軸５６（全８本）が配置される。各右側保持部５５は、各右側固定ボルト５７によって右側円板２６に固定される。
右側挟持軸５６は、先端に前方（左方）へ向かって窄むように形成された右側コーン５８を備える。
右側挟持軸５６には、右端の中央部位から中央穴５９が形成される。中央穴５９には、支持軸６０が挿入される。支持軸６０は、保持部材６１を介して右側挟持軸５６に固定される。従って、右側挟持軸５６には、支持軸６０が一体的に連結される。
右側挟持軸５６の右端の外周面には、一側フランジ６２がスプライン結合される。
支持軸６０には、保持部材６１に隣接して歯車６３が固定される。
支持軸６０の歯車６３よりも右端側は、ブラケット３９の挿通用孔４２内に挿通され、且つカラー部６４を介してブラケット３９の挿通用孔４２に回転可能に保持される。
支持軸６０の右側の最端部には、カラー部６４に隣接して他側フランジ６５が取り付けられる。
他側フランジ６５には、縦見当微調整ハンドル６６に接続されたハンドルロッド６７の先端が連結される。
右側挟持軸５６は、後述の回転駆動装置９１に連結され、右側保持部５５内で回転可能に保持される。回転駆動装置９１は、右側挟持軸５６を回転することで、右側挟持軸５６と左側挟持軸４７とに挟持される後述の版胴６８を回転させる。この場合、左側挟持軸４７は、右側挟持軸５６及び版胴６８の回転と同時に回転される。
【００２０】
図１に示すように、左側挟持軸４７の左側コーン４９と右側挟持軸５６の右側コーン５８とには、版胴６８の両端が挟持される。
版胴６８は、回転軸１２と平行で且つ回転軸１２の周辺に配置されて左側円板２１と右側円板２６とに支持され、図１３に示すように、表面にインキを収めるための凹部６９を有する。また、版胴６８の両端には、左側コーン４９と右側コーン５８とが嵌まる左側嵌合穴７０と右側嵌合穴７１とが形成される。
この実施例に係る校正機１では、例えば、回転軸１２の周辺で、円周方向等間隔に８つの版胴６８を備え、これにより、８種類の異なる色に対応可能であり、一つの版胴６８が回転軸１２の回転と共に回転軸１２の周辺で１ピッチで回転（公転）される。
【００２１】
校正機１には、図１４に示すように、インキ供給装置７２とインキ掻取装置７３とが備えられる。
インキ供給装置７２は、インキを版胴６８の表面に付着させるものであり、供給ポンプ７４と供給管７５と供給弁７６とを備える。供給ポンプ７４は、後述の操作盤９７の制御部９８によって駆動される。
インキ掻取装置７３は、版胴６８の周辺に配置されて版胴６８の表面の余分なインキを掻き取るドクタ（刃）７７と、ドクタ７７を版胴６８に対して所定の距離となるように動作させるアクチュエータ７８と、ドクタ７７とアクチュエータ７８とを接続するアーム７９とを備える。アクチュエータ７８は、後述の操作盤９７の制御部９８によって駆動される。
ドクタ７７は、後述する圧胴８３を動作する印圧調整装置８８の動きと連繋して、版胴６８の表面に接離する方向へアーム７９を介して動作される。
インキ供給装置７２の供給弁７６から供給されるインキは、ドクタ７７の手前に供給される。これにより、ドクタ７７は、版胴６８の凹部６９から溢れ出た版胴６８の表面の余分なインキを掻き取ることが可能となる。
【００２２】
図１、図１５に示すように、基台２には、版胴リフト装置８０が設置される。
版胴リフト装置８０は、図１５に示すように、リフト部８１と保持部８２とを備え、例えば、保持部８２の先端が版胴６８の下部を支えて版胴６８を所定位置へセットさせるものである。版胴６８は、作業者によってセットすることが可能である
【００２３】
図１に示すように、ハウジング３内には、前側で且つ下側で、版胴６８に対応し且つ版胴６８と平行な圧胴８３が配設される。
圧胴８３は、図１に示すように、左端軸８４と右端軸８５とを備え、いずれか１つの版胴６８と対応して配置される。
圧胴８３の左端軸８４には、圧胴８３を回転するための圧胴駆動装置８６が配設される。圧胴駆動装置８６は、油圧式であり、油圧ユニット８７を備える。油圧ユニット８７は、後述の操作盤９７の制御部９８によって駆動される。
圧胴８３の左端軸８４・右端軸８５は、印圧調整装置８８に連結される。
印圧調整装置８８は、圧胴８３の左端軸８４に対応する左側シリンダ８９と、圧胴８３の右端軸８５に対応する右側シリンダ９０とを備え、圧胴８３を版胴６８側に寄せるように動作して原紙に与える印圧を調整するとともに、印刷後には、圧胴８３を版胴６８から遠ざかるように動作する。
【００２４】
回転軸１２の右端軸部１６及び版胴６８の右端部位に連結された支持軸６０には、図１２、図１５に示すように、回転駆動装置９１が連結される。
回転駆動装置９１は、モータや歯車機構等からなり、回転軸１２を１ピッチずつ回転させるとともに、印刷時には版胴６８を所定に回転する。回転駆動装置９１は、後述の操作盤９７の制御部９８によって駆動される。
【００２５】
左側挟持軸４７の基端には、図１１に示すように、左側挟持軸４７を左右方向で進退動する挟持軸駆動装置９２が設けられる。
挟持軸駆動装置９２は、左側挟持軸４７を押進動することで、版胴６８を左側挟持軸４７の左側コーン４９と右側挟持軸５６の右側コーン５８との間に挟持する一方、左側挟持軸４７を退動することで、版胴６８を取り外し可能とする。
【００２６】
また、図１に示すように、ハウジング３には、左側ケース部４で版胴チェック手動切換弁９３が設置され、また、図３に示すように、空気取入口９４と排気口９５とが形成され、更に、モニタ９６が設置される。
右側ケース部５には、図１に示すように、操作盤９７が取り付けられるとともに、縦見当微調整ハンドル６６が設置される。
操作盤９７は、図１６に示すように、制御部９８を備える。
制御部９８には、図１６に示すように、インキ供給装置７２と、インキ掻取装置７３と、圧胴駆動装置８６と、印圧調整装置８８と、回転駆動装置９１と、挟持軸駆動装置９２とが接続される。
【００２７】
次に、この実施例１に係る校正機１の動作ついて説明する。
版胴６８の取り付けにあっては、先ず、回転軸１２及び左側円板２１・右側円板２６の動きを停止し、版胴６８をリフトさせ、左側挟持軸４７を押進動して版胴６８を左側挟持軸４７の左側コーン４９と右側挟持軸５６の右側コーン５８との間に配置するとともに、左側コーン４９と右側コーン５８とによって版胴６８の両端を挟持させる。これにより、版胴６８は、 左側挟持軸４７と右側挟持軸５６との間で堅固に保持される。
圧胴８３は、版胴６８の移動中には版胴６８から離れており、そして、印圧調整装置８８の駆動によって版胴６８に近づくように移動され（１ピッチ）、巻き掛けられた原紙に所定の印圧を付与する。同時に、インキ掻取装置７３のドクタ７７は、版胴６８に所定の距離で近づくように動作される。
そして、版胴６８の表面には、インキ供給装置７２から所望の色のインキが付着される。このとき、版胴６８の凹部６９から溢れ出たインキは、インキ掻取装置７３のドクタ７７によって掻き取られる。
原紙への印刷時には、原紙が圧胴８３に巻き掛けられ、圧胴８３と版胴６８とが同時に回転され、原紙の表面に版胴６８の表面の凹部６９のインキを塗布して印刷が行われる。
そして、印刷後には、圧胴８３が印圧調整装置８８によって退動されるとともに、回転軸１２及び左側円板２１・右側円板２６が回転駆動装置９１によって一定のピッチで間欠回転されることで、次の版胴６８が圧胴８３と対応する位置まで回転され、順次印刷を行って校正刷りを行う。
【００２８】
この結果、この実施例１によれば、一つの圧胴８３に対して複数の版胴６８を備えることにより、各種の異なる色を容易に交換することができ、印刷したい色の交換作業を容易とし、また、連続印刷を可能とする。
また、ハウジング３内には複数の版胴６８を収容することができ、ハウジング３が版胴６８の保管スペースとして機能することから、版胴６８のために別途の保管スペースを不要とし、また、ハウジング３の内部の各版胴６８を容易に取り扱うことができ、交換作業等を迅速に行わせることができる。
【実施例２】
【００２９】
図１７は、この発明の実施例２を示すものである。
以下の実施例においては、上述の実施例１と同一機能を果たす箇所には、同一符号を付して説明する。
この実施例２の特徴とするところは、以下の点にある。即ち、版胴６８の周辺には、インキ量調整装置１０１を配置する。インキ量調整装置１０１は、移動体（例えば、円弧形状からなる）１０２と、アクチュエータ１０３と、移動体１０２とアクチュエータ１０３とを連結するアーム１０４とを備え、移動体１０２がインキ掻取装置７３のドクタ７７の手前に配置される。インキ量調整装置１０１は、操作盤９７の制御部９８によって駆動され、移動体１０２を版胴６８・ドクタ７７に対して接離するように動作させる。
このような構造により、移動体１０２をドクタ７７に対して接離することにより、インキが版胴６８の表面に飛散するのを回避するとともに、版胴６８の表面へのインキ量を調整し、適正に印刷を行わせることができる。
【実施例３】
【００３０】
図１８は、この発明の実施例３を示すものである。
この実施例３の特徴とするところは、以下の点にある。即ち、校正機１において、臭気管理を自動で行うものであって、ハウジング３に形成された排気口９５を開閉する蓋部１１１を設け、蓋部１１１を開閉動作する開閉駆動装置１１２を設ける。開閉駆動装置１１２は、アクチュエータ１１３と、アクチュエータ１１３と蓋部１１１とを連結するアーム１１４とからなる。また、ハウジング３内には、所定量以上の臭気が発生したことを検出する臭気量検出センサ１１５を設ける。開閉駆動装置１１２は、操作盤９７の制御部９８によって動作される。
このような構造によれば、ハウジング３内に所定量以上の臭気が発生したことを臭気量検出センサ１１５が検出したときに、開閉駆動装置１１２の駆動によって蓋部１１１を開動作して排気口９５を開放させる。
これにより、ハウジング３内の換気を行うことができ、校正機１の内部のインキの強い臭気を排出したり、インキの気化熱によって版胴６８に結露が発生するのを防止することができる。
【実施例４】
【００３１】
図１９は、この発明の実施例４を示すものである。
この実施例４の特徴とするところは、以下の点にある。即ち、校正機１において、臭気管理を手動で行うものであって、ハウジング３に形成された排気口９５を開閉する蓋部１２１を設け、蓋部１２１を開閉動作する開閉駆動装置１２２を設ける。開閉駆動装置１２２は、蓋部１２１に接続する操作ロッド１２３と、この操作ロッド１２３に先端の操作ノブ１２４とを備える。
このような構造によれば、校正機１のハウジング３内に異臭が発生したら、操作ノブ１２４を摘まんで操作ロッド１２３を操作し、排気口９５を開けてハウジング３内の換気を行うことができ、校正機１の内部のインキの強い臭気を排出したり、インキの気化熱によって版胴６８に結露が発生するのを防止することができる。
【実施例５】
【００３２】
図２０は、この発明の実施例５を示すものである。
この実施例５の特徴とするところは、以下の点にある。即ち、校正機１において、温度管理を自動で行うものであって、ハウジング３に形成された排気口９５を開閉する蓋部１３１を設け、蓋部１３１を開閉動作する開閉駆動装置１３２を設ける。開閉駆動装置１３２は、アクチュエータ１３３と、アクチュエータ１３３と蓋部１３１とを連結するアーム１３４とからなる。
また、ハウジング３内には、内部の温度が所定温度以上になったことを検出する温度検出センサ１３５を設ける。温度検出センサ１３５は、操作盤９７の制御部９８に接続される。また、ハウジング３には、外気を内部へ導入する送風機１３６を設ける。送風機１３６は、制御部９８に接続される。アクチュエータ１３３と送風機１３６とは、制御部９８により駆動される。
このような構造により、ハウジング３内の温度が所定温度以上になったことを温度検出センサ１３５が検出したときに、開閉駆動装置１３２の駆動によって蓋部１３１を開動作して排気口９５を開放するとともに、送風機１３６の駆動によってハウジング３内に外気を導入する。
これにより、ハウジング３内の温度が所定温度以上になったときに、ハウジング３内の高温化した空気を効率良く排出させ、ハウジング３内の温度管理を確実に行うことができ、校正機１の内部に結露が発生するのを防止することができる。
【実施例６】
【００３３】
図２１は、この発明の実施例６を示すものである。
この実施例６の特徴とするところは、以下の点にある。即ち、校正機１には、例えば、エリアセンサ１４１を設ける。エリアセンサ１４１は、例えば、基台２又はハウジング３に設置される。エリアセンサ１４１は、操作盤９７の制御部９８に接続され、作業者が校正機１に対して所定の距離内に接近した場合に、その旨を検知して制御部９８に出力する。
このような構成によれば、作業者が校正機１に対して所定の距離内に接近した場合に、エリアセンサ１４１からの出力信号により、制御部９８は、校正機１の全ての機器の駆動を停止する。これにより、作業者の保護を図ることができる。
【産業上の利用可能性】
【００３４】
この発明に係る校正機は、各種の印刷用機器に適用可能である。
【符号の説明】
【００３５】
１  校正機
２  基台
３  ハウジング
８  左側フレーム
９  右側フレーム
１２  回転軸
２１  左側円板
２６  右側円板
４７  左側挟持軸
４９  左側コーン
５６  右側挟持軸
５８  右側コーン
６８  版胴
６９  版胴の表面の凹部
７２  インキ供給装置
７３  インキ掻取装置
７７  インキ掻取装置のドクタ
８０  版胴リフト装置
８３  圧胴
８６  圧胴駆動装置
８８  印圧調整装置
９１  回転駆動装置
９２  挟持軸駆動装置
９７  操作盤
９８  制御部
【図１】
0006509567.tif 000002
【図２】
0006509567.tif 000003
【図３】
0006509567.tif 000004
【図４】
0006509567.tif 000005
【図５】
0006509567.tif 000006
【図６】
0006509567.tif 000007
【図７】
0006509567.tif 000008
【図８】
0006509567.tif 000009
【図９】
0006509567.tif 000010
【図１０】
0006509567.tif 000011
【図１１】
0006509567.tif 000012
【図１２】
0006509567.tif 000013
【図１３】
0006509567.tif 000014
【図１４】
0006509567.tif 000015
【図１５】
0006509567.tif 000016
【図１６】
0006509567.tif 000017
【図１７】
0006509567.tif 000018
【図１８】
0006509567.tif 000019
【図１９】
0006509567.tif 000020
【図２０】
0006509567.tif 000021
【図２１】
0006509567.tif 000022